(57)【要約】【課題】本発明は、毛髪を巻き付けて固定するロッド用途の他、加熱用ロッドに巻き付けられた毛髪を固定しながら毛髪の水気蒸発を防止し、熱気による頭皮損傷を防止する美容クリップロッドに関する。【解決手段】本発明に係る美容クリップロッドは、内部に毛髪が巻き付けられた他のロッドが位置することができる空間を有し、毛髪が巻き付けられる外周面を有する円筒状の胴体を含み、前記円筒状の胴体は、半弧形状の断面を有する第１バンド部と、前記第１バンド部と対称する半弧形状の断面を有し、他のロッドに巻き付けられた毛髪を取り囲むように、前記第１バンド部に連結されて、開閉される第２バンド部とを提供する。【選択図】図１
2010524627.tif 000002
【特許請求の範囲】
【請求項１】
美容クリップロッドにおいて、
内部に毛髪が巻き付けられた他のロッドが位置することができる空間を有し、毛髪が巻き付けられる外周面を有する円筒状の胴体を含み、
前記円筒状の胴体は、
半弧形状の断面を有する第１バンド部と、前記第１バンド部と対称する半弧形状の断面を有し、他のロッドに巻き付けられた毛髪を取り囲むように前記第１バンド部に連結されて、開閉される第２バンド部とを含むことを特徴とする美容クリップロッド。
【請求項２】
前記胴体は、
前記第１バンド部の一端と前記第２バンド部の一端とを連結するフレキシブルな連結部を、または蝶番部をさらに含むことを特徴とする請求項１に記載の美容クリップロッド。
【請求項３】
前記美容クリップロッドは、
前記第１バンド部と前記第２バンド部が弾力的に開閉されるように弾性力を提供する弾性部材をさらに含むことを特徴とする請求項１にまたは請求項２に記載の美容クリップロッド。
【請求項４】
美容クリップロッドにおいて、
断面が半弧形状からなり、他端が連結部によって連結されている第１バンド部と第２バンド部とを含み、これらによって提供される円筒状の胴体と、
前記第１バンド部と前記第２バンド部が前記連結部を中心に弾力的に開閉されるように前記第１バンド部と前記第２バンド部に弾性力を提供する弾性部材とを含むことを特徴とする美容クリップロッド。
【請求項５】
前記第１バンド部と前記第２バンド部は閉じた際、毛髪が抜け出すことができるスロットが提供されるように、前記第１バンド部の一端と前記第２バンド部の一端に形成される溝をさらに含むことを特徴とする請求項４に記載の美容クリップロッド。
【請求項６】
前記第１バンド部の一端と前記第２バンド部の一端は、
前記スロットを通じて抜け出す毛髪に押され跡が発生しないように、前記溝に近い内周面と外周面に形成される傾斜面をさらに含むことを特徴とする請求項５に記載の美容クリップロッド。
【請求項７】
前記第１バンド部と前記第２バンド部は、
内周面に形成される多数の突起をさらに含むことを特徴とする請求項４に記載の美容クリップロッド。
【請求項８】
前記弾性部材は絶穀部を有する板バネからなり、
前記第１バンド部と前記第２バンド部は前記板バネの絶穀部が係合される結合ホールをさらに含むことを特徴とする請求項４に記載の美容クリップロッド。
【請求項９】
前記第１バンド部と前記第２バンド部は、
前記板バネが突き出されないように、外周面に形成される収納溝をさらに含むことを特徴とする請求項８に記載の美容クリップロッド。
【請求項１０】
前記胴体は、長手方向に直径が次第に大きくなる三角帽子形態からなることを特徴とする請求項４に記載の美容クリップロッド。
【請求項１１】
前記連結部は、フレキシブルな連結片または蝶番からなることを特徴とする請求項４に記載の美容クリップロッド。
【請求項１２】
前記胴体は、長手方向で両端に前記弾性部材が結合する端部分と、その間に毛髪を巻き付けることができる外周面を有する中央部分とを含むことを特徴とする請求項４に記載の美容クリップロッド。
【請求項１３】
前記端部分と前記中央部分は段差を有するように形成されることを特徴とする請求項１２に記載の美容クリップロッド。
【請求項１４】
前記第１バンド部と前記第２バンド部は水気放出のための水気放出口と、
毛髪が滑らないように外周面に形成される滑り止め溝とをさらに含むことを特徴とする請求項４に記載の美容クリップロッド。
【請求項１５】
弾力的な美容ロッドにおいて、
毛髪の水気蒸発を防止するために毛髪が巻き付けられた他のロッドを取り囲むように、外部で加えられる物理力によって外側方向に弾力的に開くか、または弾性力によって内側方向に原位置されることができる第１自由端と第２自由端とを両端に有する円筒形状で巻かれた胴体を含むことを特徴とする弾力的美容ロッド。
【請求項１６】
前記胴体は、
他端に固定端とを有し、一端には前記第１自由端とを有する半弧形状の第１バンド部と、
前記第１バンド部と対称し、他端に固定端とを有し、一端には前記第２自由端とを有する半弧形状の第２バンド部と、
前記第１バンド部の固定端と前記第２バンド部の固定端に連結され、前記第１バンド部と前記第２バンド部が弾力的に開くか、または原位置されるように弾性力を提供する板バネとを含むことを特徴とする請求項１５に記載の弾力的美容ロッド。
【請求項１７】
前記胴体は、
他端に固定端とを有し、一端には前記第１自由端とを有する半弧形状の第１バンド部と、
前記第１バンド部と対称し、他端に固定端とを有し、一端には前記第２自由端とを有する半弧形状の第２バンド部と、
前記第１バンド部の固定端と前記第２バンド部の固定端とを連結するフレキシブルな連結部とを含むことを特徴とする請求項１５に記載の弾力的美容ロッド。
【請求項１８】
前記弾力的美容ロッドは、
前記胴体の外側で前記第１バンド部と前記第２バンド部に連結され、前記第１バンド部と前記第２バンド部が弾力的に開くか、または原位置されるように弾性力を提供する板バネをさらに含むことを特徴とする請求項１７に記載の弾力的美容ロッド。
【請求項１９】
前記弾力的美容ロッドは、前記第１バンド部と前記第２バンド部が前記連結部を中心に弾力的に開くか、または原位置されるように弾性力を提供する板バネをさらに含み、
前記板バネは、
前記胴体の外側で前記第１バンド部に結合される第１固定部と、
前記胴体の外側で前記第２バンド部に結合される第２固定部とを含み、
前記第１バンド部と前記第２バンド部は前記第１固定部と前記第２固定部が各々係合される結合ホールが形成されていることを特徴とする請求項１７に記載の弾力的美容ロッド。
【請求項２０】
前記胴体は、
外部で加えられる物理力によって外側方向に容易に開くように、内周面に長手方向に少なくとも１つの切開部を有することを特徴とする請求項１５に記載の弾力的美容ロッド。
【請求項２１】
前記切開部は、前記胴体に円周方向に沿って一定間隔で形成されることを特徴とする請求項２０に記載の弾力的美容ロッド。
【請求項２２】
前記胴体は、
外部で加えられる物理力によって外側方向に容易に開くように外周面に長手方向に少なくとも１つの溝を有することを特徴とする請求項１５に記載の弾力的美容ロッド。
【請求項２３】
前記溝は、前記胴体に円周方向に沿って一定間隔で形成されることを特徴とする請求項２２に記載の弾力的美容ロッド。
【請求項２４】
前記胴体は、
前記第１自由端と前記第２自由端が一部重畳された際、その重畳された状態を維持するための固定部材をさらに含むことを特徴とする請求項１５に記載の弾力的美容ロッド。
【請求項２５】
前記固定部材は、
前記第１自由端の外周面から突き出される係合片と、
前記第２自由端と隣接して形成され、前記係合片が係合されて固定される係合溝とを含むことを特徴とする請求項２４に記載の弾力的美容ロッド。
【請求項２６】
前記胴体は、
外周面にシリコン、合成樹脂材、織物地のうちの少なくともいずれか１つからなる外被をさらに含むことを特徴とする請求項１５に記載の弾力的美容ロッド。
【請求項２７】
前記胴体は、外周面にシリコン、合成樹脂材のうちのいずれか１つの素材からなるコーティング層をさらに含むことを特徴とする請求項１５に記載の弾力的美容ロッド。
【発明の詳細な説明】
【技術分野】
【０００１】
本発明は美容器具に係り、さらに詳細には、毛髪を巻き付けて固定する用途の他、加熱用ロッドに巻き付けられた毛髪を固定しながら、毛髪の水気蒸発を防止する美容クリップロッドに関する。
【背景技術】
【０００２】
一般的に、ヘアロッドはパーマをかける際、毛髪にウエーブを与えるために用いられる必須なパーマ用器具として、今までも様々なヘアロッドが提案されており、広く利用されている。その中でも、最も普遍的に用いられるロッドの構造は、円筒状の胴体と、この胴体の両側端部に各々円周方向に輪ゴムを支えることができる多数の突起が形成された構造を有している。
【０００３】
このような普遍的なロッドは、胴体の外周面に毛髪を巻き付けた状態で、毛髪が解けないように別途の輪ゴムを用いてロッド胴体に巻き付けられた毛髪をワインディングする熟逹した作業が要求される。また、毛髪に熱を加える過程で毛髪の水気が蒸発することを防止するために、不織布で毛髪を巻き付けなければならず、不織布で毛髪を巻き付ける作業もベテラング美容師のみが可能であり、不織布が毛髪の水気蒸発を十分に遮断することができず、且つ水気を吸収するなどの問題点を有している。
【０００４】
そして、最近には胴体に熱線を装着して電源を供給して毛髪に直接熱を加える加熱用ロッドが開発されたが、この加熱用ロッドは、胴体から発生する熱い熱気が頭皮の方に伝達されて、パーマをかけている顧客の頭皮が熱くなる問題点がある。勿論、不織布がロッド胴体に巻き付けられた毛髪を取り囲んでいるが、不織布がパーマをかけている顧客の頭皮の方に加えられる熱気を遮断する機能がなくて、顧客はパーマをかけしている長期間の間熱い熱気によって頭皮が損傷される問題点がある。また、加熱用ロッドの胴体から発生する熱気が外部に容易に放出され、熱効率性が極めて低下するので、パーマ時間が長くなる問題点がある。
【発明の概要】
【発明が解決しようとする課題】
【０００５】
本発明の目的は、毛髪を巻き付ける固有機能の他、ロッドに巻き付けられた毛髪を固定するバンディング用途として用いることができる美容クリップロッドを提供することにある。
本発明の目的は、ロッドに巻き付けられた毛髪の水気蒸発を最小化する美容クリップロッドを提供することにある。
本発明の目的は、毛髪が巻き付けられた加熱用ロッドの熱気が抜け出すことを遮断し、パーマの効能を向上することができる美容クリップロッドを提供することにある。
本発明の目的は、加熱用ロッドの熱気が頭皮に伝達されることを遮断することができる美容クリップロッドを提供することにある。
本発明の目的は、ロッドに巻き付けられた毛髪を固定しても、毛髪に押され跡が形成されない美容クリップロッドを提供することにある。
【課題を解決するための手段】
【０００６】
上述の目的を達成するための本発明に係る美容クリップロッドは、内部に毛髪が巻き付けられた他のロッドが位置することができる空間を有し、毛髪が巻き付けられる外周面を有する円筒状の胴体を含み、前記円筒状の胴体は、半弧形状の断面を有する第１バンド部と、前記第１バンド部と対称する半弧形状の断面を有し、他のロッドに巻き付けられた毛髪を取り囲むように前記第１バンド部に連結されて開閉される第２バンド部とを含む。
【０００７】
本発明の実施形態によると、前記胴体は、前記第１バンド部の一端と前記第２バンド部の一端とを連結するフレキシブルな連結部、または蝶番部をさらに含む。
本発明の実施形態によると、前記美容クリップロッドは、前記第１バンド部と前記第２バンド部が弾力的に開閉されるように弾性力を提供する弾性部材をさらに含む。
【０００８】
上述の目的を達成するための本発明に係る美容クリップロッドは、断面が半弧形状からなり、他端が連結部によって連結されている第１バンド部と第２バンド部とを含み、これらによって提供される円筒状の胴体、及び前記第１バンド部と前記第２バンド部が前記連結部を中心に弾力的に開閉されるように前記第１バンド部と前記第２バンド部に弾性力を提供する弾性部材とを含む。
【０００９】
本発明の実施形態によると、前記第１バンド部と前記第２バンド部は閉じた際、毛髪が抜け出すことができるスロットが提供されるように、前記第１バンド部の一端と前記第２バンド部の一端に形成される溝をさらに含む。
本発明の実施形態によると、前記第１バンド部の一端と前記第２バンド部の一端は前記スロットを通じて抜け出す毛髪に押され跡が発生しないように、前記溝に近い内周面と外周面に形成される傾斜面をさらに含む。
本発明の実施形態によると、前記第１バンド部と前記第２バンド部は内周面に形成される多数の突起をさらに含む。
【００１０】
本発明の実施形態によると、前記弾性部材は、絶穀部を有する板バネからなり、前記第１バンド部と前記第２バンド部は前記板バネの絶穀部が係合される結合ホールをさらに含む。
本発明の実施形態によると、前記第１バンド部と前記第２バンド部は前記板バネが突き出されないように外周面に形成される収納溝をさらに含む。
【００１１】
本発明の実施形態によると、前記胴体は長手方向に直径が次第に大きくなる三角帽子形状からなる。
本発明の実施形態によると、前記連結部はフレキシブルな連結片または蝶番からなる。
本発明の実施形態によると、前記胴体は長手方向で両端に前記弾性部材が結合される端部分と、その間に毛髪を巻き付けることができる外周面を有する中央部分とを含む。
本発明の実施形態によると、前記端部分と前記中央部分は段差を有するように形成される。
本発明の実施形態によると、前記第１バンド部と前記第２バンド部は水気放出のための水気放出口、及び毛髪が滑らないように外周面に形成される滑り止め溝をさらに含む。
【００１２】
上述の目的を達成するための本発明に係る弾力的な美容ロッドは、毛髪の水気蒸発を防止するために毛髪が巻き付けられた他のロッドを取り囲むように、外部で加えられる物理力により、外側方向に弾力的に開くか、または弾性力によって内側方向に原位置されることができる第１自由端と第２自由端とを両端に有する円筒形状で巻かれた胴体を含む。
【００１３】
本発明の実施形態によると、前記胴体は他端に固定端を有し、一端には前記第１自由端を有する半弧形状の第１バンド部と、前記第１バンド部と対称し、他端に固定端を有し、一端には前記第２自由端を有する半弧形状の第２バンド部と、前記第１バンド部の固定端と前記第２バンド部の固定端に連結され、前記第１バンド部と前記第２バンド部が弾力的に開くか、または原位置されることができるように弾性力を提供する板バネとを含む。
【００１４】
本発明の実施形態によると、前記胴体は他端に固定端を有し、一端には前記第１自由端を有する半弧形状の第１バンド部と、前記第１バンド部と対称し、他端に固定端を有し、一端には前記第２自由端を有する半弧形状の第２バンド部と、前記第１バンド部の固定端と前記第２バンド部の固定端とを連結するフレキシブルな連結部とを含む。
【００１５】
本発明の実施形態によると、前記弾力的美容ロッドは、前記胴体の外側で、前記第１バンド部と前記第２バンド部に連結され、前記第１バンド部と前記第２バンド部が弾力的に開くか、または原位置されることができるように弾性力を提供する板バネをさらに含む。
【００１６】
本発明の実施形態によると、前記弾力的美容ロッドは、前記第１バンド部と前記第２バンド部が前記連結部を中心に弾力的に開くか、または原位置されることができるように弾性力を提供する板バネをさらに含み、前記板バネは前記胴体の外側で前記第１バンド部に結合される第１固定部と、前記胴体の外側で前記第２バンド部に結合される第２固定部とを含み、前記第１バンド部と前記第２バンド部は前記第１固定部と前記第２固定部が各々係合される結合ホールが形成される。
【００１７】
本発明の実施形態によると、前記胴体は、外部で加えられる物理力によって外側方向に容易に開くように、内周面に長手方向に少なくとも１つの切開部を有する。
本発明の実施形態によると、前記切開部は、前記胴体に円周方向に沿って一定間隔で形成される。
本発明の実施形態によると、前記胴体は、外部で加えられる物理力によって外側方向に容易に開くように外周面に長手方向に少なくとも１つの溝を有する。
【００１８】
本発明の実施形態によると、前記溝は、前記胴体に円周方向に沿って一定間隔で形成される。
本発明の実施形態によると、前記胴体は、前記第１自由端と前記第２自由端が一部重畳された際、この重畳された状態を維持するための固定部材をさらに含む。
本発明の実施形態によると、前記固定部材は、前記第１自由端の外周面から突き出される係合片と、前記第２自由端と隣接して形成され、前記係合片が係合されて固定される係合溝を含む。
本発明の実施形態によると、前記胴体は、外周面にシリコン、合成樹脂材、織物地のうちの少なくともいずれか１つからなる外被をさらに含む。
本発明の実施形態によると、前記胴体は、外周面にシリコン、合成樹脂材のうちのいずれか１つの素材からなるコーティング層をさらに含む。
【発明の効果】
【００１９】
上述のように、本発明は、ロッドの固有目的でも使用することができるが、加熱用ロッドを覆うバンド用でも使用することができる格別の効果を有する。
本発明は、第１バンド部と第２バンド部とを開けた状態で毛髪が巻き付けられた加熱用ロッドを覆い被せるので、加熱用ロッドの全面にかけて毛髪を安定的に固定するだけでなく、輪ゴムを使用して毛髪を固定する部分固定方式に比べて作業が非常に便利である。
本発明は、加熱用ロッドに巻き付けられた毛髪を外側で完璧にカバーリングするので、毛髪から蒸発する水気が外部に抜け出すことを防止することができる。
【００２０】
本発明は、円筒状であるので、より詰む間隔で互いに密着して毛髪が巻き付けられた加熱用ロッドを覆い被せることができる。したがって、本発明は、同一の空間でヘア用ピンよりさらに多い加熱用ロッドを覆い被せることができる格別の効果を有する。
本発明は、毛髪が抜け出すスロット部分に傾斜面を置いて毛髪の折れを最小化し、毛髪に押され跡が発生することを防止することができる。
【００２１】
本発明は、加熱用ロッドから発生する熱気が外部に放出されることを遮断（断熱）するので、熱損失を最小化し、毛髪に十分な熱を提供（速い時間にパーマ効能を向上）することがきるだけでなく、加熱用ロッドの熱気による頭皮損傷を防止することができる格別の効果を有する。
本発明は、胴体の第１自由端と第２自由端とを外側方向に開けた状態で毛髪が巻き付けられた加熱用ロッドを覆い被せるので、加熱用ロッドの全面にかけて毛髪を安定的に固定するだけでなく、輪ゴムを用いて毛髪を固定する部分固定方式に比べて作業が非常に便利である。
【図面の簡単な説明】
【００２２】
【図１】本発明の実施形態に係る美容クリップロッドを示す斜視図である。
【図２】本発明の実施形態に係る美容クリップロッドを示す斜視図である。
【図３】第１バンド部と第２バンド部が開いた状態の美容クリップロッドを示す斜視図である。
【図４】図２に表示されたＡ−Ａ線に沿って切り取った断面図である。
【図５】図２に表示されたＢ−Ｂ線に沿って切り取った断面図である。
【図６】多様な形態の胴体を有する美容クリップロッドを示す図である。
【図７】多様な形態の胴体を有する美容クリップロッドを示す図である。
【図８】水気放出口が形成された美容クリップロッドを示す図である。
【図９】胴体の内周面に突起が形成された美容クリップロッドを示す図である。
【図１０】美容クリップロッドが加熱用ロッドに巻き付けられた毛髪を取り囲むバンド用で使用される例を示す使用状態図である。
【図１１】美容クリップロッドの空間活用性を説明するための図である。
【図１２】蝶番を有する美容クリップロッドを示す図である。
【図１３】蝶番を有する美容クリップロッドを示す図である。
【図１４】図１４及び１４ｂは美容クリップロッドの第２実施形態を示す図である。
【図１５】美容クリップロッドの第３実施形態を示す図である。
【図１６】本発明の望ましい第４実施形態に係る美容クリップロッドを示す斜視図である。
【図１７】図１６に示した美容クリップロッドの断面図である。
【図１８】図１６に示した美容クリップロッドの断面図である。
【図１９】図１６に示した美容クリップロッドが加熱用ロッドに巻き付けられた毛髪を取り囲むバンド用で使用される例を示す使用状態図である。
【図２０】図１６に示した美容クリップロッドが固有機能であるロッド用で使用される例を示す使用状態図である。
【図２１】図１６に示した２つの美容クリップロッドを使用してロッド用とバンド用で各々使用される例を示す使用状態図である。
【図２２】本発明の望ましい第５実施形態に係る美容クリップロッドを示す図である。
【図２３】本発明の望ましい第５実施形態に係る美容クリップロッドを示す図である。
【図２４】本発明の望ましい第５実施形態に係る美容クリップロッドを示す図である。
【図２５】本発明の望ましい第５実施形態に係る美容クリップロッドを示す図である。
【図２６】第５実施形態において、板バネの設置位置を変更した例を示す図である。
【図２７】第５実施形態において、板バネの設置位置を変更した例を示す図である。
【図２８】第５実施形態に係る美容クリップロッドの使用状態図である。
【図２９】第５実施形態に係る美容クリップロッドの使用状態図である。
【図３０】本発明の望ましい第６実施形態に係る美容クリップロッドを示す図である。
【図３１】本発明の望ましい第６実施形態に係る美容クリップロッドを示す図である。
【図３２】本発明の望ましい第７実施形態に係る美容クリップロッドを示す図である。
【図３３】本発明の望ましい第７実施形態に係る美容クリップロッドを示す図である。
【図３４】本発明の望ましい第７実施形態に係る美容クリップロッドを示す図である。
【図３５】本発明の望ましい第７実施形態に係る美容クリップロッドを示す図である。
【図３６】本発明の望ましい第７実施形態に係る美容クリップロッドを示す図である。
【発明を実施するための形態】
【００２３】
本発明の実施形態を添付の図１乃至図１５を参照して、より詳細に説明する。前記図において同一の機能を実行する構成要素に対しては同一の参照番号を併記する。
本発明の実施形態は様々な形態に変形可能であり、本発明の範囲が下で説明する実施形態によって限定されると解釈されてはいけない。本実施形態は当業界で平均的な知識を持った者にとって本発明をより完全に説明するために提供されるものである。
【００２４】
添付の図１及び図２は、本発明の実施形態に係る美容クリップロッドを示す斜視図と正面図である。図３は、第１バンド部と第２バンド部が開いた状態の美容クリップロッドを示す斜視図である。図４は、図２に表示されたＡ−Ａ線に沿って切り取った断面図であり、図５は、図２に表示されたＢ−Ｂ線に沿って切り取った断面図である。
図１乃至図５を参照すると、本発明の実施形態に係る美容クリップロッド２０は薄厚を有する円筒パイプ形状の胴体２００と、弾性部材３００とを含む。
胴体２００は、第１バンド部２１０と第２バンド部２２０と、これらを連結する連結部２３０とを含む。
【００２５】
第１バンド部２１０は他端に固定端２１１を有し、一端に第１自由端２１２を有し、その断面は半弧形状からなる。第２バンド部２２０は第１バンド部２１０と対称して配置され、他端に固定端２２１を有し、一端には第２自由端２２２を有し、その断面は半弧形状からなる。第１バンド部２１０と第２バンド部２２０の両側面には輪ゴム（図示せず）をかけることができる溝２０２が形成される。第１バンド部２１０の固定端２１１と第２バンド部２２０の固定端２２１は連結部２３０によって相互連結される。連結部２３０はフレキシブルな連結片からなり、連結部２３０は胴体２００の端の両端に各々位置する。図３に示すように、胴体２００は毛髪が巻き付けられた他のロッド１を取り囲むように連結部２３０を中心に第１バンド部２１０と第２バンド部２２０が開く。胴体２００は弾性部材３００と連結部２３０などが位置する端部分Ｚ１と、その間に位置し、毛髪を巻くことができる中央部分Ｚ２に区分されることができ、特に、中央部分Ｚ２は中央が凹んで形成される。そして、中央部分Ｚ２の外周面には毛髪が滑らないように長手方向に滑り止め溝２０４が形成される。
【００２６】
図４を参照すると、胴体２００は第１バンド部２１０と第２バンド部２２０が閉じた際、第１バンド部２１０の第１自由端２１２と第２バンド部２２０の第２自由端２２２との間に毛髪が抜け出すことができるスロット２０６を有する。このスロット２０６は第１バンド部２１０の第１自由端２１２と前記第２バンド部２２０の第２自由端２２２に形成された溝２１４、２２４によって提供される。特に、第１バンド部２１０と第２バンド部２２０はスロット２０６を通じて抜け出す毛髪に押され跡が発生しないようにスロット２０６に近い内周面と外周面に内側傾斜面２２６と外側傾斜面２１６が形成される。すなわち、第１バンド部２１０と第２バンド部２２０が毛髪が巻き付けられた他のロッド１を取り囲む場合、毛髪はスロット２０６を通じて外に抜け出しながら、第２自由端２２２の内周面と第１自由端２１２の外周面に接触するようになる。本発明では第２自由端２２２の内周面と第１自由端２１２の外周面を削って（厚さが薄くなる）毛髪の折れを最小化することによって、毛髪に押され跡が発生することを防止した。一方、図８に示すように、胴体２００を成す第１バンド部２１０には水気放出のための水気放出口２０９が追加に形成されることができる。
【００２７】
図２及び図５を参照すると、弾性部材３００は第１バンド部２１０と第２バンド部２２０に設置される板バネからなる。弾性部材３００は胴体の両端（端部分）に設置され、第１バンド部２１０と第２バンド部２２０が連結部２３０を中心に弾力的に開閉されるように弾性力を提供する。弾性部材３００は両端に絶穀部３１０を有し、第１バンド部２１０と第２バンド部２２０に形成された結合ホール２１８、２２８に係合される。第１バンド部２１０と第２バンド部２２０の外周面には弾性部材３００が突き出されないように収納溝２１７、２２７が形成される。一方、第１バンド部２１０の第１自由端２１２には係合突起２１９が形成され、第２バンド部２２０の第２自由端２２２には係合突起２１９が係合される係合溝２２９が形成されている。係合突起２１９は第１バンド部２１０と第２バンド部２２０が閉じた際、係合溝２２９に係合される。
【００２８】
図６及び図７は、多様な形態の胴体を有する美容クリップロッドを示す図である。
図６に示すように、美容クリップロッド１０ａは、長手方向に直径が次第に大きくなる三角帽子形態の胴体２００ａを含むことができる。このような三角帽子形態の胴体２００ａには両端に互いに異なる大きさの弾性部材３００ａが設置される。そして、図７に示すように、美容クリップロッド１０ｂは端部分Ｚ１が中央部分Ｚ２より高い段差を有するように形成された胴体２００ｂを含むこともできる。このような胴体２００ｂは中央部分Ｚ２に巻き付けられた毛髪が端部分Ｚ２に滑ることを防止することができる。
【００２９】
上述のような構成からなる本発明の美容クリップロッドは次のようなバンド用で用いることができる。
図１０は、美容クリップロッドが加熱用ロッドに巻き付けられた毛髪を取り囲むバンド用で使用される例を示す使用状態図である。
図面を参照すると、胴体２００は、使用者が第１自由端２１２と第２自由端２２２に外側方向に物理力を加えれば（矢印反対方向に引っ張れば）、第１バンド部２１０と第２バンド部２２０が連結部３００を軸に開く。第１バンド部２１０と第２バンド部２２０を開けた状態で、その内部に毛髪が巻き付けられた他のロッド１を位置させた後、第１バンド部２１０と第２バンド部２２０が閉じる方向に弱い力を加えれば、弾性部材３００の弾性力によって第１バンド部２１０と第２バンド部２２０が原位置され、他のロッド１に巻き付けられた毛髪を固定しながら毛髪の水気蒸発を防止する。
【００３０】
さらに具体的に説明すると、図１０に示すように、通常の加熱用ロッド１で毛髪を下部分から巻き上げた状態で輪ゴムを使わず、美容クリップロッド２０を使用して毛髪を固定させる。ここで、美容クリップロッド２０の第１バンド部２１０と第２バンド部２２０が毛髪が巻き付けられた加熱用ロッド１を覆い被せるので、加熱用ロッド１の全面にかけて毛髪を固定するだけでなく、輪ゴムを使用して毛髪を固定する部分固定方式に比べて作業が非常に便利である。特に、美容クリップロッド２０が加熱用ロッ１ドに巻き付けられた毛髪を外側で完璧にカバーリングするので、毛髪から蒸発する水気が外部に抜け出すことを防止する格別の効果を有する。特に、美容クリップロッド２０は加熱用ロッド１から発生する熱気が外部に放出されることを遮断（断熱）するので、熱損失を最小化し、毛髪に十分な熱を提供（速い時間にパーマの効能を向上する）することができるだけではなく、加熱用ロッド１の熱気による頭皮損傷を防止する格別の効果を有する。図９に示すように、胴体２００は毛髪から抜け出す水気が止まることができる空間で突起（または溝）２０５が内周面に形成されることができる。この突起２０５は胴体２００の円周方向に形成されることができ、突起２０５と突起２０５との間には毛髪に塗布されるパーマ薬品なども居残ることができる。
【００３１】
図示しないが、美容クリップロッド２０は固有機能であるロッド用で使用することができる。図１に示すように、第１自由端２１２と第２自由端２２２が相接するように第１バンド部２１０と第２バンド部２２０が閉じた状態では外周面に毛髪を巻き付けることができるロッド用で使用することができる。ここで、毛髪は輪ゴムによって固定されることができるが、毛髪が巻き付けられた美容クリップロッド２０より大きいサイズの美容クリップロッドをバンド用で使用して固定することができる。
【００３２】
図１１は、美容クリップロッドの空間活用性を説明するための図である。
図１１を参照すると、一般的に、加熱用ロッド１に巻き付けられた毛髪を固定するためにはヘアピン２が使用される。このヘアピン２は、ロッド１を取り囲む固定部３の後方に持ち手４が突き出されている。勿論、持ち手４はヘアピン２を取る時に便利である。しかし、ヘアピン２は持ち手４が占める空間のため、互いに密着して使うことができないという短所がある。特に、隣り合うヘアピン２の持ち手同士４に触れるので、作業が容易ではない。また、ヘアピン２は加熱用ロッド１の全体を取り囲むことができないので、水気蒸発を抑制するのに限界がある。これに反して、その横に並んで示すように、本発明の美容クリップロッド２０は、円筒状で構成されるので、より詰む間隔で互いに密着して毛髪が巻き付けられた加熱用ロッド１を覆い被せることができる。したがって、本発明の美容クリップロッド２０は同一の空間でヘアピン２より少なくとも１つ以上多くの加熱用ロッドを覆い被せることができる。
【００３３】
図１２及び図１３は蝶番を有する美容クリップロッドを示す図である。
図１２及び図１３に示すように、美容クリップロッド２０ｃは図１に示した美容クリップロッド２０と同一の構成と機能を有する胴体２００ｃと弾性部材３００とを有するので、これらに対する詳細な説明は本実施形態では省略する。ただ、本実施形態では胴体２００ｃの第１バンド部２１０と第２バンド部２２０とを連結する連結部２３０ｃが蝶番からなる構造的な特徴を有する。すなわち、連結部２３０ｃは第１バンド部２１０にヒンジピン２３２を有するヒンジ突起部分２３４を具備し、第２バンド部２２０にヒンジ突起部分２３４が係合されるヒンジ溝部分２３６を具備する。
【００３４】
（第２実施形態）
図１４及び図１４ｂは美容クリップロッドの第２実施形態を示す図である。
図１４及び図１４ｂに示すように、美容クリップロッド２０ｄは、図１に示した美容クリップロッド２０と同一の構成と機能とを有する胴体２００ｄと弾性部材３００ｄとを有するので、これらに対する説明は本実施形態では省略する。ただ、本実施形態では連結部２３０ｄが胴体２００ｄの一端に形成される。本実施形態の美容クリップロッド２０ｄは胴体２００ｄの一端に形成された連結部２３０ｄを中心に第１バンド部２１０ｄと第２バンド部２２０ｄが開閉されるというのにその構造的な特徴を有する。図１４ｂには第１バンド部２１０ｄと第２バンド部２２０ｄが長手方向に胴体２００ｄの一端に形成された連結部２３０ｄを中心に開閉されることを示す。
【００３５】
（第３実施形態）
図１５は美容クリップロッドの第３実施形態を示す図である。
図１５に示すように、胴体２００ｅは、一端に第１バンド部２１０ｅと第２バンド部２２０ｅが蝶番方式で連結される連結部２３０ｅと、この連結部２３０ｅから延長されて形成される持ち手２４０を有する。図示しないが、持ち手２４０を有する美容クリップロッドにはコイル形状の弾性部材が連結部２３０ｅに設置される。図１５に示した美容クリップロッド２０ｅは使用者が持ち手２４０を取って押せば、連結部２３０ｅを中心に第１バンド部２１０ｅと第２バンド部２２０ｅが開いて、持ち手２４０に加えた力を除去すれば、連結部２３０ｅに設置された弾性部材の弾性力によって自動的に閉じる。本実施形態では持ち手２４０が提供されるので、第１バンド部２１０ｅと第２バンド部２２０ｅとを容易に開けることができ、持ち手２４０が胴体２００ｅの長手方向に形成されているので、持ち手２４０による空間不足現象は発生しない。
【００３６】
（第４実施形態）
図１６は本発明の第４実施形態に係る美容クリップロッドを示す斜視図であり、図１８及び図１９は図１６に示した美容クリップロッドの断面図である。
図１６乃至図１９を参照すると、本発明の第４実施形態に係る美容クリップロッド１０は、薄厚を有する円筒パイプ形状で巻かれた胴体１００を含む。胴体１００は第１自由端１１２と第２自由端１１４とを有する一側が開放される円筒クリップ形状として、第１自由端１１２と第２自由端１１４が外側に弾力的に開くか、または弾性力によって内側に原位置されることができる弾性力を有する。胴体１００の両側面には輪ゴム（図示せず）をかけることができる溝１１６が形成される。胴体１００の断面は、弾性力を有するベースプレート１０２と、ベースプレート１０２を保護するコーティング層１０３からなる。ベースプレート１０２は軟性の合成樹脂または金属が使用されることができる。ベースプレート１０２の材質が合成樹脂の場合には、圧縮成形、圧出成形、射出成形、空気吹入成形などのような方式で製作し、ベースプレート１０２の材質が金属の場合には、板金を丸く巻いて（ローリング成形）円筒パイプ形状で製作することができる。ここで、板金の材質はステンレススチール及びその合金、アルミニウム及びその合金、または胴及びその合金などの多様な金属が使用されることができる。このように丸形状で巻かれたベースプレート１０２はコーティング層１０３で取り囲まれ、このコーティング層１０３は耐熱のシリコン、ウレタン、合成樹脂のような材質からなる。図示しないが、美容クリップロッド１０の胴体１００はコーティング層の代りにベースプレート１０２を取り囲むためのカバーで代替することができる。カバーは合成樹脂または織物地のような素材で作り、ベースプレート１０２に付着するか、または必要によって、容易に外すことができるように構成されることができる。
【００３７】
図１８に示すように、胴体１００は第１自由端と第２自由端が一部重畳された際、その重畳された状態を維持させるための固定部材を有する。固定部材１１８は係合片１１８ｂと係合溝１１８ａからなり、係合片１１８ｂは第１自由端１１２の外周面から突き出され、係合溝１１８ａは第２自由端１１４と隣接した位置に係合片１１８ｂが係合されて固定されるように、一定間隔ごとに形成される。図１８に示すように、胴体１００は係合片１１８ｂがどの位置にある係合溝１１８ａに係合されるかによってサイズを可変させることができる。すなわち、係合片１１８ｂが第２自由端１１４から最も遠い所に位置する係合溝１１８ａに係合される場合には、胴体１００の直径が最も小さくなる他、係合片１１８ｂが第２自由端１１４から最も近く位置する係合溝１１８ａに係合される場合には、胴体１００の直径が相対的に大きくなる。たとえば、本実施形態では、固定部材１１８を係合片１１８ｂと係合溝１１８ａに示して説明したが、第１自由端と第２自由端とを相互固定するための部材ではベルクロ、ボタン、磁石などの多様な固定構造が適用されることができることは勿論である。
【００３８】
図１９に示すように、胴体１００は使用者が第１自由端１１２と第２自由端１１４に外側方向（矢印方向）に物理力を加えれば（矢印方向に引っ張れば）、胴体１００の第１自由端１１２と第２自由端１１４が開いて、第１自由端１１２と第２自由端１１４に加えられる物理力を除去すれば、第１自由端１１２と第２自由端１１４は点線に表示された形状に原位置する。
上述のような構成からなる本発明の美容クリップロッドは、次のような多様な用途で使用されることができる。
【００３９】
図２０は、弾力的美容ロッドが加熱用ロッドに巻き付けられた毛髪を取り囲むバンド用で使用される例を示す使用状態図である。
図２０に示すように、通常の加熱用ロッド１を有して毛髪を下部分から巻きあげた状態で輪ゴムを使わず、美容クリップロッドを使用して毛髪を固定させる。ここで、美容クリップロッドの第１自由端と第２自由端とを外側方向に開いた状態で毛髪が巻き付けられた加熱用ロッド１を覆い被せるので、加熱用ロッド１の全面にかけて毛髪を固定するだけでなく、輪ゴムを使用して毛髪を固定する部分固定方式に比べて作業が非常に便利である。この時、美容クリップロッドは、加熱用ロッド１の直径より小さいサイズを使用することによって、美容クリップロッドが加熱用ロッド１に巻き付けられた毛髪を弾性力で強く固定させることができる。特に、美容クリップロッドが加熱用ロッ１ドに巻き付けられた毛髪を外側で完璧にカバーリングするので、毛髪から蒸発する水気が外部に放出することを防止することができる格別の効果を有する。特に、美容クリップロッドは加熱用ロッド１から発生する熱気が外部に放出されることを遮断（断熱）するので、熱損失を最小化し、毛髪に十分な熱を提供（速い時間にパーマ効能を向上）することができるだけでなく、加熱用ロッド１の熱気による頭皮損傷を防止することができる格別の効果を有する。図示しないが、胴体１００は毛髪から抜け出す水気が止まることができる空間で溝が内周面に形成されることができる。この溝は、胴体の円周方向に形成され、この溝には毛髪に塗布されるパーマ薬品なども残留することができる。
【００４０】
図２１は、美容クリップロッドが固有機能であるロッド用で使用される例を示す使用状態図である。
図２１に示すように、美容クリップロッド１０は、第１自由端１１２と第２自由端１１４とを一部重畳した状態で、固定部材でその重畳された状態を維持すれば、毛髪を巻き付けることができるロッド用で使用することができる。ここで、毛髪は輪ゴムによって固定される。美容クリップロッド１０は係合片１１８ｂと係合溝１１８ａの固定位置によって胴体１００のサイズを可変させることができるので、様々なサイズのロッドを具備する必要がなし、使用者（美容師）が顧客の毛髪スタイルに応じて、その大きさを調節して使用することができる格別の効果を有する。
【００４１】
図２２は２つの弾力的美容ロッドを使用してロッド用とバンド用で各々使用される例を示す使用状態図である。
図２２に示すように、美容クリップロッド１０の第１自由端１１２と第２自由端１１４とを固定した状態で毛髪を巻き付けた後、また他の美容クリップロッド１０をバンド用で使用して毛髪を固定させる。このように、本発明の美容クリップロッドは、必要によって多様な用途で使用されることができる。
【００４２】
（第５実施形態）
添付の図２３乃至図２５は本発明の望ましい第５実施形態に係る美容クリップロッドを示す図面である。
図２３乃至図２５を参照すると、本発明の実施形態に係る美容クリップロッド１０ａは、薄厚を有する円筒パイプ形状の胴体１００ａを含む。胴体１００ａは第１バンド部１１０ａと第２バンド部１１０ｂと、これらを連結する板バネ１２０とを含む。
【００４３】
第１バンド部１１０ａは他端に固定端１１１を有し、一端に第１自由端１１２とを有する半弧形状からなる。第２バンド部１１０ｂは第１バンド部１１０ａと対称して配置され、他端に固定端１１３を有し、一端には第２自由端１１４とを有する半弧形状からなる。第１バンド部１１０ａと第２バンド部１１０ｂの両側面には輪ゴム（図示せず）をかけることができる溝１１６が形成される。第１バンド部１１０ａと第２バンド部１１０ｂの断面は、第１実施形態で言及したように、ベースプレート１０２とコーティング層１０３とを含むことができ、これに対する説明は上で詳細に説明したので、省略する。ただ、本実施形態では胴体１００ａが板バネ１２０を有しているので、第１バンド部１１０ａと第２バンド部１１０ｂが第１実施形態の胴体１００よりは堅固に製作されることが望ましい。
【００４４】
板バネ１２０は、第１バンド部１１０ａの固定端１１１と第２バンド部１１０ｂの固定端１１３に連結され、第１バンド部１１０ａと第２バンド部１１０ｂが弾力的に開くか、または原位置されるように弾性力を提供する。板バネ１２０は両端が第１バンド部１１０ａと第２バンド部１１０ｂに埋め立てられた状態で固定される。しかし、図２６及び図２７に示すように、板バネ１２０は、第１バンド部１１０ａと第２バンド部１１０ｂの内側面または外側面に接着剤やボルトなどによって付着設置されることもできる。
【００４５】
図２４に示すように、胴体１００ａは、第１バンド部１１０ａの第１自由端１１２と第２バンド部１１０ｂの第２自由端１１４が一部重畳された際、その重畳された状態を維持するための固定部材１１８を有する。固定部材１１８は、係合片１１８ａと係合溝１１８ｂからなり、固定部材に対しては上で詳細に説明したので、省略する。
【００４６】
図２５に示すように、胴体１００ａは、使用者が第１バンド部１１０ａの第１自由端１１２と第２バンド部１１０ｂの第２自由端１１４に外側方向（矢印方向）に物理力を加えれば（矢印方向に引っ張れば）、板バネ１２０が撓いながら（折れながら）、第１バンド部１１０ａと第２バンド部１１０ｂが開いて、第１バンド部１１０ａと第２バンド部１１０ｂに加えられる物理力を除去すれば、撓った板バネ１２０が原状復帰され、第１バンド部１１０ａと第２バンド部１１０ｂは点線で表示された形状に原位置する。ここで、第２実施形態の胴体１００ａは板バネが撓いながら開く他、上述のような構成からなる美容クリップロッドは第４実施形態に係る美容クリップロッドのように多様な用途で使用されることができる。
【００４７】
図２８に示すように、通常の加熱用ロッド１を有して、毛髪を下部分から巻きあげた状態で輪ゴムを使わず、美容クリップロッド１０ａを用いて毛髪を固定させる。ここで、美容クリップロッド１０ａの第１バンド部１１０ａと第２バンド部１１０ｂを外側方向に開いた状態で毛髪が巻き付けられた加熱用ロッド１を覆い被せるので、加熱用ロッド１の全面にかけて毛髪を固定するだけなく、輪ゴムを用いて毛髪を固定する部分固定方式に比べて作業が便利である。この際、美容クリップロッド１０ａは加熱用ロッド１の直径より小さいサイズを使用することによって、美容クリップロッド１０ａが加熱用ロッド１に巻き付けられた毛髪を弾性力で強く密着固定させることができる。特に、美容クリップロッド１０ａが加熱用ロッド１に巻き付けられた毛髪を外側で完璧にカバーリングするので、毛髪から蒸発する水気が外部に放出することを防止する格別の効果を有する。特に、美容クリップロッド１０ａは、加熱用ロッド１から発生する熱気が外部に放出されることを遮断（断熱）するので、熱損失を最小化し、毛髪に十分な熱を提供（速い時間にパーマの効能を向上）することができるだけでなく、加熱用ロッド１の熱気による頭皮損傷を防止する格別の効果を有する。
【００４８】
図２９は、美容クリップロッドが固有機能であるロッド用で使用される例を示す使用状態図である。
図２９に示すように、美容クリップロッド１０ａは、第１バンド部１１０ａの第１自由端１１２と第２バンド部１１０ｂの第２自由端１１４とを一部重畳した状態で、その固定部材１１８で重畳された状態を維持すれば、毛髪を巻き付けることができるロッド用で使用することができる。この際、美容クリップロッド１０ａは係合片と係合溝の固定位置によって胴体１００ａのサイズを可変させることができるので、様々なサイズのロッドを具備する必要がなし、使用者（美容師）が顧客の毛髪のスタイルに応じて、その大きさを調節して使用することができる格別の効果を有する。
【００４９】
（第６実施形態）
添付の図３０及び図３１は本発明の望ましい第６実施形態に係る美容クリップロッドを示す図である。
図３０及び図３１を参照すると、本発明の第６実施形態に係る美容クリップロッド１０ｂは、薄厚を有する円筒パイプ形状の胴体１００ｂを含む。胴体１００ｂは、第１バンド部１１０ａと第２バンド部１１０ｂと、これらを連結する板バネ１３０とを含む。
【００５０】
第１バンド部１１０ａは他端に固定端１１１を有し、一端に第１自由端１１２とを有する半弧形状からなる。第２バンド部１１０ｂは第１バンド部１１０ａと対称して配置され、他端に固定端１１３を有し、一端には第２自由端１１４とを有する半弧形状からなる。第１バンド部１１０ａの固定端１１１と第２バンド部１１０ｂの固定端１１３は自由に曲げられることができるフレキシブルな連結部１１９によって相互連結される。第１バンド部１１０ａと第２バンド部１１０ｂの両側面には輪ゴム（図示せず）をかけることができる溝１１６が形成される。第１バンド部１１０ａと第２バンド部１１０ｂの断面は、第１実施形態で言及したように、ベースプレート１０２とコーティング層１０３とを含むことができ、これに対する説明は上で詳細に説明したので、省略する。ただ、本実施形態では胴体１００ｂが板バネ１３０を有しているので、第１バンド部１１０ａと第２バンド部１１０ｂが第１実施形態の胴体１００よりは堅固に製作されることが望ましい。
【００５１】
板バネ１３０は、第１バンド部１１０ａの固定端１１１と第２バンド部１１０ｂの固定端１１３に隣接した部分に形成された結合ホール１１７に係合され、第１バンド部１１０ａと第２バンド部１１０ｂが弾力的に開くか、または原位置されるように弾性力を提供し、第１バンド部１１０ａと第２バンド部１１０ｂが閉じた状態（図３０）では板バネ１３０が胴体の外周面に密着された状態を維持する。板バネ１３０は両端に絶穀部１３２を有し、この絶穀部１３２は結合ホール１１７を通じて胴体１００ｂの内側面に係合されて、第１バンド部１１０ａと第２バンド部１１０ｂを内側方向に押す力を提供する。すなわち、バンド用で使用する場合、美容クリップロッドは、板バネによって第１バンド部１１０ａと第２バンド部１１０ｂが内側方向（毛髪が巻き付けられた加熱用ロッド）に力を加えるので、より安定的に毛髪を支持する。
【００５２】
図示しないが、胴体１００ｂは、第１バンド部１１０ａの第１自由端１１２と第２バンド部１１０ｂの第２自由端１１４が相互接触された際、その状態を維持するための係合片と係合溝からなる固定部材を具備することができる。
【００５３】
図３１に示すように、胴体１００ｂは、使用者が第１バンド部１１０ａの第１自由端１１２と第２バンド部１１０ｂの第２自由端１１４に外側方向（矢印方向）に物理力を加えて（矢印方向に引っ張れば）、一定角度以上開くと（板バネの弾発力を克服することができる程度）、板バネ１３０の限界臨界角が変化しながら第１バンド部１１０ａと第２バンド部１１０ｂが開いた状態を弾力的に支持する。
上述の構成からなる美容クリップロッドは、板バネが弾性力を提供し、胴体の第１バンド部と第２バンド部とを弾力的に開閉することができるので、加熱用ロッドに巻き付けられた毛髪をより弾力的に強く圧迫しながら固定することができ、開閉過程が非常に容易であり、且つ全体的に胴体の製造原価を低めて、その対外競争力を最大限高めることができるなどの利点がある。
【００５４】
（第７実施形態）
添付の図３２乃至図３７は本発明の望ましい第７実施形態に係る弾力的美容ロッドを示す図である。
図３２乃至図３４を参照すると、本発明の第７実施形態に係る美容クリップロッド１０ｃは、薄厚を有する円筒パイプ形状で巻かれた胴体１００ｃを含む。胴体１００ｃは第１自由端１１２と第２自由端１１４とを有する一側が開放される円筒クリップ形状として、第１自由端１１２と第２自由端１１４が外側に弾力的に開くか、または弾性力によって内側に原位置される弾性力を有する。胴体１００ｃの両側面には輪ゴム（図示せず）をかけることができる溝（図示せず）が形成されることができる。胴体１００ｃの断面は、弾性力を有するベースプレートと、ベースプレートを保護するコーティング層からなることができる。
【００５５】
胴体１００ｃは、外部で加えられる物理力によって、外側方向に容易に開くように内周面に長手方向に多数の切開部１０５が形成され、外周面には溝１０６が形成される。切開部１０５と溝１０６は胴体１００ｃの円周方向に沿って一定間隔ごとに形成される。切開部１０５は溝１０６の中心と対応する内周面に形成される。切開部１０５の位置は多様に変更可能であり、図３５に示すように、切開部１０５は、溝１０６と溝１０６との間の中心と対応する内周面に形成されることができる。
【００５６】
図３３に示すように、胴体１００ｃは使用者が第１自由端１１２と第２自由端１１４に外側方向（矢印方向）に物理力を加えれば（矢印方向に引っ張れば）、胴体１００ｃの第１自由端１１２と第２自由端１１４が外側方向に開いて、この際、胴体１００ｃの内周面に形成された切開部１０５は弛緩され、外周面の溝１０６は若干収縮する。このように、本実施形態の胴体１００ｃは切開部１０５と溝１０６の収縮弛緩作用によって、第１自由端１１２と第２自由端１１４が外側方向により小さい力でも開く。当然、第１自由端１１２と第２自由端１１４に加えられる物理力を除去すれば、胴体自体の弾性復元力によって点線で表示された形状に原位置する。
【００５７】
図３４に示すように、本実施形態に係る美容クリップロッド１０ｃは、胴体１００ｃの第１自由端１１２と第２自由端１１４が一部重畳された際、その重畳された状態を維持するための固定部材１１８を有することができる。この固定部材１１８は、上述の実施形態のように、類似の構造の係合片１１８ｂと係合溝１１８ａからなることもでき、ベルクロ、ボタン、磁石などの多様な固定構造が適用されることができることは勿論である。
【００５８】
図３６及び図３７に示すように、胴体１００ｃには切開部と溝が多様に提供されることができる。
図３６には切開部と溝が１つのみ形成された胴体１００ｃを示す。胴体１００ｃは長手方向に内周面に１つの切開部１０５と、外周面に溝１０６が形成される。切開部１０５と溝１０６は第１自由端１１２と第２自由端１１４との間の中間に位置する。図３６に示すように、胴体１００ｃは、使用者が第１自由端１１２と第２自由端１１４に外側方向（矢印方向）に物理力を加えれば（矢印方向に引っ張れば）、胴体１００ｃの第１自由端１１２と第２自由端１１４が外側方向に開いて、この際、胴体１００ｃの内周面に形成された切開部１０５は弛緩し、外周面の溝１０６は若干収縮する。
【００５９】
図３７には切開部と溝が９０°間隔で３つが形成された胴体１００ｃを示す。胴体１００ｃは、長手方向に内周面に３つの切開部１０５と、外周面に３つの溝１０６が形成される。切開部１０５と溝１０６は９０°間隔で位置する。
【００６０】
図示しないが、胴体１００ｃは、使用者が第１自由端１１２と第２自由端１１４に外側方向（矢印方向）に物理力を加えれば（矢印方向に引っ張れば）、胴体１００ｃの第１自由端１１２と第２自由端１１４が外側方向に開いて、この際、胴体１００ｃの内周面に形成された３つの切開部１０５は弛緩し、外周面の溝１０６は少し収縮する。
【００６１】
以上、本発明は特定の実施形態と係わって図示して説明したが、請求範囲によって示した発明の思想及び領域から逸脱しない範囲内で多様な改造及び変化が可能であることは、当業界で通常の知識を持った者であれば、容易に理解することができるであろう。
【産業上の利用可能性】
【００６２】
本発明は、毛髪を巻き付けて固定する用途の他、加熱用ロッドに巻き付けられた毛髪を固定しながら、毛髪の水気蒸発を防止する美容器具に使用可能である。
【符号の説明】
【００６３】
２００  胴体
２１０  第１バンド部
２２０  第２バンド部
２３０  連結部
３００  弾性部材
【図１】
2010524627.tif 000003
【図２】
2010524627.tif 000004
【図３】
2010524627.tif 000005
【図４】
2010524627.tif 000006
【図５】
2010524627.tif 000007
【図６】
2010524627.tif 000008
【図７】
2010524627.tif 000009
【図８】
2010524627.tif 000010
【図９】
2010524627.tif 000011
【図１０】
2010524627.tif 000012
【図１１】
2010524627.tif 000013
【図１２】
2010524627.tif 000014
【図１３】
2010524627.tif 000015
【図１４】
2010524627.tif 000016
【図１５】
2010524627.tif 000017
【図１６】
2010524627.tif 000018
【図１７】
2010524627.tif 000019
【図１８】
2010524627.tif 000020
【図１９】
2010524627.tif 000021
【図２０】
2010524627.tif 000022
【図２１】
2010524627.tif 000023
【図２２】
2010524627.tif 000024
【図２３】
2010524627.tif 000025
【図２４】
2010524627.tif 000026
【図２５】
2010524627.tif 000027
【図２６】
2010524627.tif 000028
【図２７】
2010524627.tif 000029
【図２８】
2010524627.tif 000030
【図２９】
2010524627.tif 000031
【図３０】
2010524627.tif 000032
【図３１】
2010524627.tif 000033
【図３２】
2010524627.tif 000034
【図３３】
2010524627.tif 000035
【図３４】
2010524627.tif 000036
【図３５】
2010524627.tif 000037
【図３６】
2010524627.tif 000038
【図３７】
2010524627.tif 000039
【国際調査報告】
2010524627.tif 000040
2010524627.tif 000041